(57)【特許請求の範囲】
【請求項１】
冷解凍する対象物を、冷凍から解凍を経て冷蔵保存までの間、収納可能な冷解凍庫と、
前記冷解凍庫内に冷熱又は暖熱を供給する熱交換器と、
冷凍から解凍を経て冷蔵保存までの一連の処理において前記熱交換器を制御可能である熱交換器制御部と、
を備え、
前記熱交換器制御部は、対象物の冷凍時に冷解凍庫に供給した冷熱の熱量に相当する熱量を、対象物の解凍に必要な暖熱の熱量として求め、解凍時、求めた熱量の暖熱を供給するよう熱交換器を制御する
ことを特徴とする冷解凍装置。
【発明の詳細な説明】
【技術分野】
【０００１】
本発明は、冷凍、冷凍保存、解凍及び冷蔵保存に対応する冷解凍装置に関する。
【背景技術】
【０００２】
魚や肉等の食品等は、品質の維持を目的として冷凍室で冷凍され、冷凍保存される。また、冷凍保存された食品は、その後、販売や加工の際に解凍され、必要に応じて冷蔵保存される。
【０００３】
食品を冷凍及び冷凍保存し、後に解凍及び冷蔵保存する際、品質を維持して冷解凍するための温度制御が重要である。また、適時に食品を提供できるように、解凍のスケジュールを設定する必要がある。
【０００４】
例えば、品質維持の一般的な方法として、食品を冷凍する際、食品の細胞内に発生する氷の結晶を小さくすることで、氷結晶の生成による細胞の破壊を少なくしてドリップの流出を抑え、食品の旨味を保持する方法がある。細胞の破壊を少なくするためには、冷凍においても解凍においても、最大氷結晶生成温度帯を、出来るだけ短時間に通過させる必要がある。この最大氷結晶生成温度帯は、氷結晶の生成が最も大きくなる温度帯であり、冷解凍の対象物によって異なるが、例えば、−２〜−１０℃の範囲である。
【０００５】
そのため、現在では、時間をかけて対象物を冷凍する緩慢冷凍に代わり、緩慢冷凍よりも低温の環境下に対象物をおくことで、緩慢冷凍よりも短時間で冷凍をする急速冷凍の技術の開発が発展しており、急速冷凍によって品質の維持が図られている。例えば、緩慢冷凍の最大氷結晶生成温度帯の通過時間は、１〜数時間程度であるのに対し、急速冷凍における最大氷結晶生成温度帯の通過時間は、６〜３０分程度であり、急速冷凍を利用することで緩慢冷凍を利用した場合と比較して氷結晶の生成による細胞破壊を軽減できることがわかる。
【０００６】
一方、冷凍技術の開発と比較して、解凍技術の開発は遅れており、緩慢解凍に代わる急速解凍の開発が急がれている。冷凍食品を急速解凍する時、流水解凍や自然解凍が一般的である。これに対し、品質を考慮する解凍方法として、冷蔵温度等の低温で解凍を行う方法があるが、解凍時間が長くなる。
【０００７】
また、冷凍された食品を解凍する時、冷凍装置から冷蔵装置やその他の設備への移し替えが必要になるのが一般的である。そうすると、冷凍から解凍までの一連の流れが連続して制御されることがなく、夫々独立した制御となる。また、冷凍装置から解凍する装置への移し替えにより、温度変化で食品の品質が劣化することになる。
【０００８】
冷凍から解凍までを可能とする汎用性の高いシステムも研究されている（例えば、特許文献１参照）。しかしながら、各設備や各制御が独立しており、解凍の制御を、冷凍時に蓄積したデータを用いて制御することは考慮されていない。
【先行技術文献】
【特許文献】
【０００９】
【特許文献１】特許第3071659号公報
【発明の概要】
【発明が解決しようとする課題】
【００１０】
上述したように、解凍技術の開発は進んでおらず、従来は冷凍後、冷凍した食品等の対象物をその品質を低下させずに短時間で解凍することが困難であった。また、冷凍から解凍までの一連の流れが、冷凍庫と解凍庫との別々の装置で独立して行われ、連続して制御されていない。したがって、複数の装置が必要になるとともに、解凍される対象物の品質が劣化し、また、冷凍庫から解凍庫への移し替え等の作業員の作業負担も大きかった。
【００１１】
したがって、本発明は、対象物の冷凍、冷凍保存、解凍及び冷蔵保存を、氷の凝固・冷凍から解凍・融解という可逆性を利用して、一台の冷解凍装置内で可能とするとともに、対象物の品質の低下を防止し、かつ、冷凍時に解凍時の時間設定を可能とし、同時に従来よりも短時間でこの一連の温度制御を実現する冷解凍装置を提供することを目的とする。
【課題を解決するための手段】
【００１２】
本発明に係る冷解凍装置は、冷解凍する対象物を冷凍から冷蔵保存までの間、収納可能な冷解凍庫と、前記冷解凍庫内に冷熱又は暖熱を供給する熱交換器と、前記冷解凍庫内及び前記対象物の温度を計測する複数の温度センサと、前記温度センサで計測される温度の値と計測時間とを関連付ける温度データを記憶する温度データ記憶部と、前記熱交換器が供給した冷熱又は暖熱の供給量と供給した時間とを関連付ける熱量データを記憶する熱量データ記憶部と、冷凍から解凍までの一連の処理において前記熱交換器を制御可能である熱交換器制御部とを備え、前記熱交換器制御部は、対象物の冷凍時に冷解凍庫に供給した冷熱の熱量に相当する熱量を、対象物の解凍に必要な暖熱の熱量として求め、解凍時、求めた熱量の暖熱を供給するよう熱交換器を制御する。
【発明の効果】
【００１３】
本発明によれば、対象物の冷凍、冷凍保存、解凍及び冷蔵保存を一台の装置内で可能とするとともに、対象物の品質の低下を防止し、かつ、従来よりも短時間でこの一連の温度制御を実現することができる。
【図面の簡単な説明】
【００１４】
【図１】第１実施形態に係る冷解凍装置の構成を説明する概略図である。
【図２】図１の冷解凍装置の冷解凍庫と熱交換室の空間とその間に設けられる隔壁を説明する概略図である。
【図３】ヒートポンプの一例を説明する構成図である。
【図４】図１の冷解凍装置の隔壁におけるファンコイルの位置を説明する概略図である。
【図５】図１の冷解凍装置の冷解凍庫への棚の配置を説明する図である。
【図６】図５の棚とこの棚への温度センサの設置位置及び対象物の配置位置を説明する図である。
【図７】対象物の一例である段ボール箱を説明する概略図である。
【図８】棚板上の温度センサの設置位置と棚板への段ボール箱の配置位置を説明する概略図である。
【図９】図１の冷解凍装置で利用されるディストリビュータを説明する概略図である。
【図１０】図１の冷解凍装置で対象物を冷解凍する場合の温度変化を表すグラフである。
【図１１】対象物を緩慢冷凍により冷凍する場合の対象物の最大氷結晶生成帯における温度変化を表すグラフである。
【図１２】対象物を冷凍する場合の最大氷結晶生成帯を通過後の対象物の温度変化を表すグラフである。
【図１３】対象物を解凍する場合の供給熱量制御法の処理を説明するフローチャートである。
【図１４】供給熱量制御法の単位解凍時間の決定方法、供給熱量の決定方法を説明する図である。
【図１５】対象物を急速解凍する場合の対象物の温度変化及び冷解凍庫内の雰囲気温度の温度変化を表すグラフである。
【図１６】温度勾配制御法の処理を説明するフローチャートである。
【図１７】個別温度制御法の処理を説明するフローチャートである。
【図１８】解凍のみ制御する場合の温度変化及び暖熱の供給量を表すグラフである。
【図１９】第２実施形態に係る冷解凍装置の構成を説明する概略図である。
【図２０】図１９の冷解凍装置で対象物を冷解凍する場合の温度変化を表すグラフである。
【図２１】対象物を急速冷凍により冷凍する場合の対象物の最大氷結晶生成帯における温度変化を表すグラフである。
【図２２】変形例に係る冷解凍装置の構成を説明する概略図である。
【図２３】冷解凍庫に電極（上下に接地電極、真ん中に放電電極）を設置した時の模式図である。
【図２４】過冷却の温度特性を表すグラフである。
【発明を実施するための形態】
【００１５】
以下に、本発明の実施形態に係る冷解凍装置について説明する。実施形態に係る冷解凍装置は、冷凍機能、冷凍保存機能、解凍機能、冷蔵保存機能及び温度制御機能を有し、対象物の冷凍、冷凍保存、解凍及び冷蔵保存を、氷の凝固・冷凍から解凍・融解という可逆性を利用して、１台の冷解凍装置内で行うことのできる装置である。冷解凍の対象物は、水分を含むものであり、代表的なものは、魚、肉、青果等の食品であるが、その他、生花、種子、人や家畜の人工受精胚、移植用摘出臓器、血液分化細胞、バイオリアクタ用微生物等であってもよい。対象物は、例えば、段ボールや塩化ビニール等の収納容器（紙袋等も含む）に収納され、容器を含むものとしてもよい。
【００１６】
代表的な冷凍方法として、最大氷結晶生成帯の通過時間が長い「緩慢冷凍」と、最大氷結晶生成帯の通過時間が短い「急速冷凍」とがある。具体的には、「緩慢冷凍」は、主には−２０〜−３０℃以上の環境下で加工品等の価格の低い対象物を冷凍する方法であり、最大氷結晶生成帯の通過時間は１〜数時間程度である。これに対し、「急速冷凍」は、−３０℃以下の環境下で価格の高い鮮度の維持を目的とした対象物を冷凍する方法であり、最大氷結晶生成帯の通過時間は６〜３０分程度である。
【００１７】
以下の説明において、第１実施形態に係る冷解凍装置は、「緩慢冷凍」により冷凍し、解凍する装置である。これに対し、第２実施形態に係る冷解凍装置では、「急速冷凍」により冷凍し、解凍する装置である。
【００１８】
［第１実施形態］
〈冷解凍装置１Ａ、熱交換室２０、冷解凍庫１０〉
図１及び図２は、本発明の第１実施形態に係る冷解凍装置１Ａの概略構成例を示している。冷解凍装置１Ａは、冷解凍する対象物２を設置する冷解凍庫１０と、冷凍、冷凍保存、解凍、冷蔵保存のための熱供給を行う熱交換器であるヒートポンプ２１を設置する熱交換室２０と、冷解凍庫１０と熱交換室２０との間に設けられる隔壁３０と、冷解凍に関する温度の制御を実行する冷解凍制御装置４０とを備える。
【００１９】
《ヒートポンプ２１》
ヒートポンプ２１は、冷凍機能、冷凍保存機能、解凍機能及び冷蔵保存機能を有する熱交換器であり、例えば、暖熱及び冷熱を供給することのできるブライン式ヒートポンプである。このヒートポンプ２１が供給する冷熱は、−３０℃以上の冷熱である。
【００２０】
このヒートポンプ２１は、冷解凍制御装置４０と接続され、冷解凍制御装置４０によって冷熱又は暖熱の供給が制御される。具体的には、ヒートポンプ２１は、冷凍時、冷解凍庫１０が冷凍に適した温度になるように冷解凍庫１０に冷熱を供給し、解凍時、冷解凍庫１０が解凍に適した温度になるように冷解凍庫１０に暖熱を供給する。また、ヒートポンプ２１は、冷凍保存時及び冷蔵保存時、冷解凍庫１０が保存に適した温度になるように冷解凍庫１０に冷熱を供給する。
【００２１】
また、ヒートポンプ２１は、熱量センサ（図示せず）を有し、この熱量センサにより、供給する熱量を計測する。熱量センサにより計測された供給熱量は、後述するヒートポンプ制御部４１により、熱量データとして熱量データ記憶部４３に記憶される。
【００２２】
図３は、ヒートポンプ２１の一例を説明する構成図である。ヒートポンプ２１は、圧縮機及び膨張弁を有し、外気からの入熱を利用して冷媒を圧縮、凝縮、膨張させ、冷解凍制御装置４０の制御に応じて冷熱又は暖熱を生成する。図３に示す一例のヒートポンプ２１は、四方弁を利用することで、冷熱の供給と暖熱の供給を切り替えることができる。なお、排熱とは、冷解凍装置１外の工場の温排水、工場の排気ガス等の排熱である。また、井水等の熱を利用してもよい。
【００２３】
なお、ここでは熱交換器の一例としてヒートポンプ２１を用いて説明するが、ヒートポンプに限らず、冷熱及び暖熱を供給することのできる熱交換器であればよい。
【００２４】
《冷解凍庫１０》
隔壁３０の冷解凍庫１０側には、図１に示すように、熱供給用のファンコイル１１が設置され、ヒートポンプ２１からの冷熱又は暖熱がファンコイル１１を介して冷解凍庫１０に供給される。これにより、冷解凍庫１０内は、冷凍、解凍又は保存に適した温度に調整される。例えば、ファンコイル１１は、図２及び図４（Ｂ）に示すように、隔壁３０の３１の位置に設けられる。なお、図４（Ｃ）は、第２実施形態に係る冷解凍装置のファンコイルの設置位置を示す図であり後の説明で利用する。
また、冷解凍庫１０には、冷解凍庫１０内の温度及び対象物２の温度を計測する温度センサ１２が複数配置される。具体的には、温度センサ１２の一例は、図６を用いて後述するが、気体温度計や赤外線サーモグラフィ等であるが、ディジタル計測できるものが好ましい。冷解凍庫１０内の温度制御は、この温度センサ１２の計測値に応じて、冷解凍制御装置４０によって実行される。
【００２５】
なお、冷解凍庫１０の大きさは限定されず、目的に応じて様々な大きさに設定可能である。また、図１乃至図３に示す例では、冷解凍庫１０と熱交換室２０は隔壁３０を間にして隣接して形成されるが、熱供給用の配管あるいはダクトで連結した状態で分離した状態で形成されても良い。
【００２６】
（棚６１、段ボール箱２２）
冷解凍庫１０内に対象物２を配置する際、図５に示すように、冷解凍庫１０の架台６０上に棚６１を設置し、この棚６１に複数の対象物２を整列して載置可能としてもよい。例えば、棚６１は、柱６２と梁６３によって、対象物２を載置可能な複数の棚板６４を支持する構成である。棚板６４は、対象物２と空間との熱伝達を容易にするために孔６５が設けられることが望ましい。また、棚板６４に対象物２を配置する場合、図６に示すように、整列載置された夫々の対象物２の間には、空間が設けられることが好ましい。これらの空間は、冷凍、冷凍保存及び冷蔵保存時には冷熱の流通路となり、解凍時には暖熱の流通路となる。
【００２７】
冷解凍装置１Ａが工場や市場等で利用される場合、図６及び図７に示すように、冷解凍の対象物とその対象物が収納される段ボール箱２２等の容器を対象物２としてもよい。この場合、対象物２が収納される段ボール箱２２を、各棚板６４に配置する。
【００２８】
例えば、図７に示すように、真ん中に貼り合わせ部２３を有する段ボール箱２２に対象物を入れると、段ボール箱２２内で上面側には空間ができたとしても、段ボール箱２２の底面側には対象物２が存在して重量がかかる。したがって、冷解凍時には、段ボール箱２２の底面側に冷気が集まる。そのため、可能な限りムラが無く冷凍あるいは解凍させるために、図６に示すように棚板６４の上面、底面及び側面に空間ができるように段ボール箱２２を載置し、図８に示すように棚板６４には、可能な限り、その面積の合計が大きくなるように孔６５を設け、冷凍時には可能な限り段ボール箱２２が冷気に触れるようにし、また、解凍時には冷気の集まる段ボール箱２２の下側からも暖気による熱伝達を促進させることが望ましい。
【００２９】
なお、この棚６１は対象物２の重量に耐えうる材料であればよい。
【００３０】
（温度センサ）
冷解凍においては、冷解凍庫１０中における温度ムラが、対象物２の品質の低下につながる。さらに、複数の対象物２を冷解凍する場合、各対象物２の温度を均一にしたうえで温度制御をすることが望ましい。したがって、冷解凍庫１０内での温度ムラを防止するため、冷解凍庫１０内の複数の場所で温度を計測し、各場所で温度を計測する必要がある。
【００３１】
例えば、図６に示すように、柱６２、梁６３、棚板６４等に温度センサ１２として赤外線サーモグラフィ６６や温度計６７を設置し、段ボール箱２２の温度を計測する。赤外線サーモグラフィ６６及び温度計６７で計測した温度は、温度制御部４２により、温度データとして、温度データ記憶部４４に記憶される。
【００３２】
段ボール箱２２では中央の貼合せ部２３から空間温度が侵入し易く、箱内のこの貼り合わせ部２３の温度は他の部分と比較して冷凍時には低くなりやすく、解凍時には高くなりやすい。したがって、段ボール箱２２を対象物２として棚６１に配置する場合であって、段ボール箱２２の下側に温度計６７を設置する場合、中央の貼合せ部２３を避け、段ボール箱２２の位置２４に相当する棚板６４の位置に設置する。すなわち棚板６４において、段ボール箱２２の下側の貼合せ部２３に対して対称の貼り合せ部２３から離れた位置２４の数カ所に、段ボール箱２２と接する位置に温度計６７を貼り付け、段ボール箱２２の下側の棚板６４側の温度を計測する。
【００３３】
図示を用いた説明は省略するが、温度データ記憶部４４に記憶される温度データは、温度分布を表す表示画面とし、ディスプレイに表示可能としてもよい。これにより、冷解凍庫１０内に熱流の調整に使用するファンガイド、流量調整ガイド、ディストリビュータシステム等を設置し、冷解凍庫１０内の各位置に供給する熱量の増減を調整し、冷解凍庫１０内及び対象物２の表面温度の高い部分と低い部分の温度差の最小化を図るようにすることができる。
【００３４】
（ディストリビュータ１３）
冷解凍装置１Ａにおいて、複数の対象物２を冷解凍する場合、対象物２の品質の低下を防止するため、また、冷解凍の時間を短縮するため、図９に示すように冷解凍庫１０内にディストリビュータ１３を設置してもよい。ディストリビュータ１３を利用することで、対象物２の周囲の空間の冷熱又は暖熱の流動を促進し、同時に対象物２に暖熱又は冷熱が直接当たり悪影響を与えることのないように、緩やかで均一な流れを形成する。これにより、対象物２の品質の低下の防止及び冷解凍時間の短縮を図ることができる。
【００３５】
具体的には、図９に示すように、冷気あるいは暖気を平均的に流せるディストリビュータ１３と、複数のノズル１３２、配管１３３及び流出口１３４等を冷解凍庫１０内に備える。ノズル１３２、配管１３３は、例えば、柱６２、梁６３又は棚板６４に均一になるような間隔で配置する。また、ディストリビュータ１３を介してヒートポンプ２１から供給される冷熱又は暖熱は、配管１３３に設けられる流出口１３４から、対象物２の周囲の空間に流出される。
【００３６】
冷凍あるいは解凍の過程で、対象物２の表面に温度ムラが生じた時は、複数の流出口１３４のうち、ムラが生じた当該箇所に近い流出口１３４に供給する暖気の供給量を増減させることで冷気あるいは暖気の流れを制御し、冷凍あるいは解凍のムラを抑えることを可能とする。
【００３７】
このディストリビュータ１３を利用する冷熱と暖熱の送風の方式は、冷凍時の特に最大氷結晶生成温度帯において、複数の対象物２に温度ムラが発生しないように通過させる方式として適している。
【００３８】
なお、図示を省略するが、冷解凍庫１０内にファンやガイド弁を設置し、これらを利用して対象物２の温度ムラがある当該箇所への冷気あるいは暖気の熱量の供給を増減させるようにしてもよい。
【００３９】
また、必要に応じて、熱交換室２０から冷解凍庫１０に送出された空気量に相当する冷気を含んだ空気量を、冷解凍庫１０の外部に取出し、冷解凍庫１０内の圧力を調整できることを可能とする。この冷気は、例えば氷蓄熱槽１３５等に蓄え、氷蓄熱槽１３５の冷気を含んだ空気をヒートポンプ２１の凝縮器に使用し、または空調や他の冷蔵装置等に供給してもよい。
【００４０】
〈冷解凍制御装置４０〉
図１に示すように、冷解凍制御装置４０は、ヒートポンプ制御部４１及び温度制御部４２を備え、冷解凍及び保存（冷凍、冷凍保存、解凍、冷蔵保存）の一連の温度制御を実行する。また、冷解凍制御装置４０は、ヒートポンプ２１が冷解凍庫１０に供給した熱量データを記憶する熱量データ記憶部４３と、温度センサ１２で計測された温度データを記憶する温度データ記憶部４４を備える。
【００４１】
図１０に、冷解凍の際の対象物２の温度特性を示す。冷解凍の際の温度領域は、図１０に示すように、冷凍制御を実行する『冷凍領域』、冷凍保存の制御を実行する『冷凍保存領域』、解凍制御を実行する『解凍領域』及び冷蔵保存の制御を実行する『冷蔵保存領域』の４領域に分けられる。
【００４２】
対象物２は、冷凍の開始後、表面が氷結温度ｔｃに達すると、含有する水分の凍結がはじまる。この凍結が始まると、対象物２は、氷結温度ｔｃから最大氷結晶生成帯下限温度ｔｓまでの間において、それまでの温度の低下速度よりゆっくりと温度が低下する。この氷結温度ｔｃから最大氷結晶生成帯下限温度ｔｓまでの温度範囲が、最大氷結晶生成帯であり、この最大氷結晶生成帯において、氷の生成が最大になる。最大氷結晶生成帯を通過すると、主には氷の比熱により温度は下降し、対象物２の温度は冷凍保存温度まで急速に下がり、冷凍保存される。
【００４３】
各温度は、対象物２の種類に応じて異なるが、本実施形態では、氷結温度（目標設定温度）ｔｃは−２℃、最大氷結晶生成帯下限温度ｔｓは−１０℃とする。ここで、氷結温度とは、対象物２の凍結が開始する温度であり、目標設定温度とは、対象物２を冷蔵保存する際の目標の温度であり、ここでは氷結温度と目標設定温度とをともに−２℃とする。
【００４４】
また、温度制御の説明において後述する第１予備設定温度ｔｐ（図１０では省略）は−５℃、第２予備設定温度ｔｐｐは−３℃とする。なお、予備設定温度は、対象物２の温度と比較して温度制御の基準とする設定温度であり、第１予備設定温度ｔｐ及び第２予備設定温度ｔｐｐの２点が必須でなく、いずれか１点の設定でも良い。
【００４５】
ヒートポンプ制御部４１は、冷凍の際（冷凍領域の期間）、冷解凍庫１０内に対象物２を冷凍するための冷熱を供給するようヒートポンプ２１を制御する。また、ヒートポンプ制御部４１は、冷凍保存及び冷蔵保存の際（冷凍保存領域の期間及び冷蔵保存領域の期間）、冷解凍庫１０内に対象物２を冷凍保存又は冷蔵保存するための冷熱を供給するようヒートポンプ２１を制御する。さらに、ヒートポンプ制御部４１は、解凍の際（解凍領域の期間）、必要に応じて、冷解凍庫１０内に対象物２を急速解凍するための暖熱を供給するようヒートポンプ２１を制御する。
【００４６】
また、ヒートポンプ制御部４１は、ヒートポンプ２１が冷解凍庫１０に供給する熱量の値と時間との関係を表す熱量データを熱量データ記憶部４３に記憶する。
【００４７】
温度制御部４２は、温度センサ１２で計測される温度の値と時間との関係を表す温度データを温度データ記憶部４４に記憶する。
【００４８】
《冷凍領域（冷凍開始から最大氷結晶生成帯の通過まで）》
図１１を用いて、冷凍（緩慢冷凍）の際の最大氷結晶生成帯における温度特性と、最大氷結晶生成帯における制御について説明する。図１１は、図１０の温度特性のＡ−１の部分の詳細説明図である。
【００４９】
この冷凍制御において、ヒートポンプ制御部４１は、冷熱を供給するようヒートポンプ２１を制御する。例えば、ヒートポンプ制御部４１は、冷凍開始当初、所定量の冷熱を供給するようヒートポンプ２１を制御し、その後、温度制御部４２から取得する対象物２や冷解凍庫１０内の温度に応じ、冷熱の供給量を調整することができる。
【００５０】
ヒートポンプ２１が冷熱を供給することで、対象物２の冷凍が開始されると、対象物２の表面が０℃以下になった時点で、表面の水分が凍り始める。図１１に示すように、時間の経過とともに対象物２の温度が下がり、対象物２は、氷結温度ｔｃに達した時点で、表面から凍結が進む。その後、冷熱が対象物２の内部に熱伝達することで対象物２の内側が凍る。
【００５１】
ここで氷結温度ｔｃに達した後、対象物２の温度が下がるスピードは、対象物２内部の水分の凝固のため、緩やかになる。そして最大氷結晶生成帯（ｔｃ〜ｔｓの間）のほぼ中間（温度ｔｍ）で、温度時間特性は、その方向を変え、温度は下降に向かう。
【００５２】
対象物２内の水分の多く（５割程度）が凍結すると、対象物２の温度の下降は更に大きくなり、主には氷の比熱により急速に温度を下げていく。
【００５３】
具体的には、図１１に示すように、対象物２の温度特性において、所定の時間間隔ｈ１の２点を結んだ線と水平線の角度α（α１〜α８）を求める。対象物２は、その温度がＫ１となった付近から、水分の凍結が本格化する。角度αは、温度がＫ１の付近からＫ２の付近までは、α１＞α２＞α３＞α４と徐々に小さくなる。また、温度がＫ２となった後には、角度αは、α４＜α５＜α６＜α７＜α８と徐々に大きくなる。このように、対象物２の温度変化から、対象物２内の状態の変化を把握することが可能であり、この変化と合わせてヒートポンプ制御部４１は、ヒートポンプ２１を制御することができる。
【００５４】
例えば、ヒートポンプ制御部４１が、温度制御部４２から対象物２の温度と冷解凍庫１０の雰囲気温度とを取得し、その差が大きくなるように、具体的には、所定の冷凍温度で冷熱の供給量を大きくするヒートポンプ２１を制御することで、最大氷結晶生成帯を早く通過させることができる。これにより、冷凍速度を速め対象物２の冷凍による品質の低下を防止することができる。
【００５５】
なお、予期した温度特性を歩んでいないときは冷解凍装置のメンテナンス等を考慮することが望ましい。
【００５６】
また、定めた時間間隔ｈ１が短く、温度変化の特徴が明確に得られない場合、必要に応じて、例えば時間間隔ｈ１の２倍とか３倍に相当する隔点を結んだ線と水平線の角度を計測し、その特徴を把握しても良い。
【００５７】
さらに、所定の時間間隔ｈ１の２点を結んだ線と水平線との角度αを求めるタイミングは、時間間隔ｈ１毎である必要はなく、それより短い時間間隔毎に求めることで、温度制御の精度を向上させることができる。
【００５８】
《冷凍領域（最大氷結晶生成帯通過後）と冷凍保存領域》
図１２を用いて、最大氷結晶生成帯通過後の冷凍時及び冷凍保存における温度特性と、この期間における制御について説明する。図１２は、図１０の温度特性のＢの部分の詳細説明図である。図１２において、温度ｔｙは、冷凍保存の際に期待する冷凍保存温度である。
【００５９】
冷凍過程で、冷凍温度特性の方向が本来の温度特性（実線）からｄの方向（破線）にずれて、期待した冷凍保存温度ｔｙに達しないと予測した場合、ヒートポンプ制御部４１は、冷熱の供給量を増加するようヒートポンプ２１を制御する。具体的には、ヒートポンプ制御部４１は、図１２に示す一例のように、点Ｋ３を基準として、点Ｋ３と前の点Ｋ３’で求めた角度β１に対し、点Ｋ３と後の点Ｋ３”で求めた角度β２が大きく減少した時、期待した冷凍保存温度ｔｙに達しないと予測する。
【００６０】
なお、対象物２が目標とする冷凍保存温度ｔｙに近づく時、対象物２の温度変化は緩やかになり、冷凍保存温度ｔｙに達した時、冷凍制御は終了し、冷凍保存制御に移行する。冷凍保存の際、ヒートポンプ制御部４１は、冷解凍庫１０に冷熱の供給量を減少させ、対象物は、目標とする冷凍保存温度ｔｙで保存される。冷凍保存時に供給される冷熱は、冷凍保存温度ｔｙよりも高めの温度で供給されるため、対象物２の温度は、冷凍保存温度ｔｙを高めに外れる場合が生じる。その場合には冷熱を供給して対象物２の温度を冷凍保存温度ｔｙに戻し、対象物２がこの冷凍保存温度ｔｙで保存されるようにする。すなわち、図１２に示すように、温度特性の方向が本来の温度特性（実線）からｅの方向（破線）に上昇した場合、ヒートポンプ制御部４１は、所定の冷凍保存温度に戻すために所定の温度で冷熱の供給量を増加するようヒートポンプ２１を制御する。具体的には、ヒートポンプ制御部４１は、水平線に対し得られた角度β３が所定角度以上である時、本来の温度特性を外れたと予測する。
【００６１】
また、所定の温度特性を歩んでいることを確認し、把握できるようにする。なお、これらの制御の際に、予期した温度特性を大きく外れているときはメンテナンスを考慮することが望ましい。
【００６２】
《解凍領域》
解凍領域において、ヒートポンプ制御部４１は、冷凍領域で収集されたデータに基づいて解凍制御を実行する。解凍制御の方法としては、『供給熱量制御法』、『温度勾配制御法』、『雰囲気温度制御法』及び『個別温度制御法』がある。また、ヒートポンプ制御部４１は、これら複数の方法を組み合わせて解凍制御を行う。
【００６３】
（供給熱量制御法）
図１３及び図１４を用いて、解凍の際の制御方法である供給熱量制御法について説明する。供給熱量制御法は、冷凍に使用した熱量の値を、解凍時の熱量供給の制御に利用する方法であり、図１０の解凍領域における制御である。図１３は、供給熱量制御法の処理を説明するフローチャートである。また、図１４は、解凍時間、冷凍時の供給熱量と温度特性、解凍時の温度特性を説明する図である。
【００６４】
図１３に示すように、解凍時、ヒートポンプ制御部４１は、設定された解凍時間Ｌを、所定の値Ｎで分割して単位解凍時間Ｈi（＝Ｌ／Ｎ）を求める（Ｓ０１）。解凍制御において、ヒートポンプ制御部４１は、ここで求めた解凍時間Ｈi毎に冷解凍庫１０に供給する熱量を演算し、演算した熱量の暖熱を供給するようヒートポンプ２１を制御する。ここでは、図１４に示すように、解凍時間Ｌを、時間間隔Ｈrの第１解凍時間Ｈ1〜第Ｎ解凍時間ＨNに分割したものとして説明する。そして、第１解凍時間Ｈ1に最初の熱量を供給し、次の第２解凍時間Ｈ2に、新たに求めた熱量の供給を行う。そして後の解凍時間（Ｈ3〜ＨN）で新たな熱量の算出と供給を繰り返す。
【００６５】
まず、ヒートポンプ制御部４１は、第１解凍時間Ｈ1の処理であるため、ｉ＝１とする（Ｓ０２）。
【００６６】
ヒートポンプ制御部４１は、熱量データ記憶部４３に記憶される熱量データから対象物２の冷凍の際に供給した総熱量Ｗｆｃを抽出し、この総熱量Ｗｆｃを値Ｎで分割し、第１解凍時間Ｈ1に冷解凍庫１０に供給する熱量Ｗｔ1（＝Ｗｆｃ／Ｎ）を求める（Ｓ０３）。
【００６７】
第１解凍時間Ｈ1において、ヒートポンプ制御部４１は、熱量Ｗｔ1の暖熱を供給するよう、ヒートポンプ２１を制御する（Ｓ０４）。なお、ヒートポンプ制御部４１は、この第１解凍時間Ｈ1の間、熱量Ｗｔ１の暖熱を、あらかじめ設定した温度で平均的に供給するよう、ヒートポンプ２１を制御する。
【００６８】
続いて、次の解凍時間の処理を実行するため、ｉをインクリメント（ｉ＝ｉ＋１）する（Ｓ０５）。例えば、ｉ＝２のとき、第２解凍時間Ｈ2の処理が実行される。この時、冷凍時Ｔ１に至るまでに供給された熱量Ｗｆ１をＨ２の時間にＷｆ１/（Ｎ−１）を所定の温度で平均的に供給する。また例えば、ｉ＝３のとき、第３解凍時間Ｈ3の処理が実行される。
【００６９】
第ｉ解凍時間Ｈiにおいて、ヒートポンプ制御部４１は、温度制御部４２から現在の対象物２の温度Ｔiを取得し、冷凍時において、冷凍開始時から対象物２がＴiになるまでに要した総熱量Ｗｆiを熱量データ記憶部４３の熱量データから抽出し、この総熱量Ｗｆiを値（Ｎ−i）で分割し、第ｉ解凍時間Ｈiに冷解凍庫１０に供給する熱量Ｗｔi（＝Ｗｆi／（Ｎ−ｉ））を求める（Ｓ０６）。
【００７０】
また、第ｉ解凍時間Ｈiにおいて、ヒートポンプ制御部４１は、熱量Ｗｔiの暖熱を供給するよう、ヒートポンプ２１を制御する（Ｓ０７）。このときも、ヒートポンプ制御部４１は、第ｉ解凍時間Ｈiの間、熱量Ｗｔiの暖熱を所定の温度で平均的に供給するよう、ヒートポンプ２１を制御する。
【００７１】
第ｉ解凍時間Ｈiが終了するタイミングで、ヒートポンプ制御部４１は、温度制御部４２から現在の対象物２の温度Ｔを取得し、温度Ｔを第１予備設定温度ｔｐと比較する（Ｓ０８）。第１予備設定温度ｔｐは、例えば−５℃あるいは−４℃に設定する。Ｔiが第１予備設定温度ｔｐに到達した時点で、温度制御部４２からヒートポンプ制御部４１に、第２予備設定温度ｔｐｐで供給熱量制御処理に移行できるように表示で示す。
【００７２】
Ｔi≧ｔｐでない場合（ステップＳ０８でＮＯ）、ヒートポンプ制御部４１は、ステップＳ０５〜Ｓ０８の処理を繰り返す。このとき、ヒートポンプ制御部４１は、ステップＳ０６の処理で、ステップＳ０８で取得した温度を、現在の対象物２の温度Ｔiとして利用することができる。
【００７３】
一方、Ｔi≧ｔｐである場合（ステップＳ０８でＹＥＳ）、ヒートポンプ制御部４１は、熱量Ｗｔiを、これ以降供給する熱量Ｗｔとして設定する（Ｓ０９）。また、ヒートポンプ制御部４１は、ｉをインクリメントする（Ｓ１０）。さらに、ヒートポンプ制御部４１は、暖熱Ｗｔの暖熱を供給するよう、ヒートポンプ２１を制御する（Ｓ１１）。
【００７４】
その後、ヒートポンプ制御部４１は、時間間隔Ｈr毎に、温度制御部４２から現在の対象物２の温度Ｔiを取得し、温度Ｔiを第２予備設定温度ｔｐｐと比較する（Ｓ１２）。
【００７５】
Ｔi≧ｔｐｐでない場合（ステップＳ１２でＮＯ）、ヒートポンプ制御部４１は、ステップＳ０９〜Ｓ１０の処理を繰り返す。第２予備設定温度ｔｐｐは、例えば−３℃に設定する。
【００７６】
一方、Ｔi≧ｔｐｐである場合（ステップＳ１２でＹＥＳ）、温度制御部４２からヒートポンプ制御部４１に、暖熱の供給を停止し、目標設定温度ｔｃ（例えば−２℃）に収斂させるように、解凍制御の処理である供給熱量制御処理を終了する（Ｓ１３）。
【００７７】
その後、ヒートポンプ制御部４１は、冷蔵保存制御の処理を実行する。
【００７８】
このように、ヒートポンプ制御部４１は、解凍時間Ｌが設定されると、冷凍で供給した熱量の値を解凍に使用することで、解凍をこの設定された解凍時間Ｌ内に終わるように適切に制御することができる。
【００７９】
（温度勾配制御法）
図１５及び図１６を用いて、解凍の際の制御方法である温度勾配制御法について説明する。温度勾配制御法は、解凍時における温度-時間特性（温度変化）に基づき供給熱量制御法よりも緻密に解凍制御を行うため、図１３を用いて上述した供給熱量制御法と組み合わせて実行する方法であり、解凍の際の対象物２の温度変化に応じて熱供給を制御する方法である。具体的には、供給熱量制御法において図１３のフローチャートに示すステップＳ０１〜Ｓ０８を実行する時、同時に解凍時の温度-時間特性（温度変化）の温度変化の勾配の計測を行う。なお、Ｓ０８において、第１予備設定温度ｔｐが−５℃であると２点間を結ぶ線の角度が４５°になる温度と重なる可能性がある。したがって、第１予備設定温度ｔｐは４５°になる温度よりも高い温度に設定する。
【００８０】
図１５は、図１０の温度特性のＣの部分の詳細説明図であり、急速解凍の場合の対象物２の温度変化（解凍温度特性）と、冷解凍庫１０内の温度変化（冷解凍庫内雰囲気温度特性）を表す。また、図１６は、温度勾配制御法の処理を説明するフローチャートである。
【００８１】
温度勾配制御法を利用する場合、ヒートポンプ制御部４１は、供給熱量制御法において、後述する所定の時間間隔ｈ３の計測点の２点間を結ぶ線の傾きγが４５度に達すると供給熱量制御法を終了し、温度勾配制御処理を開始する。温度勾配制御を開始する。ヒートポンプ制御部４１は、温度制御部４２から対象物２の温度を取得する（Ｓ２１）。ここで取得する温度は、図１５に示すような温度特性を示す。
【００８２】
また、ヒートポンプ制御部４１は、取得する温度から、所定の時間間隔ｈ３の計測点の２点間を結ぶ線の傾きγを求める（Ｓ２２）。この時間間隔ｈ３とは、例えば、１０秒程度から５分等の時間間隔である。
【００８３】
傾きγを求めると、ヒートポンプ制御部４１は、求めた傾きγが４５°以下であるか否かを判定する（Ｓ２３）。
【００８４】
求めた傾きγが４５°以下でない場合（Ｓ２３でＮＯ）、ヒートポンプ制御部４１は、供給熱量を維持して暖熱を供給するようヒートポンプ２１を制御し、ステップＳ２１〜Ｓ２３の処理を繰り返す（Ｓ２４）。すなわち、ヒートポンプ制御部４１は、図１３のフローチャートのステップＳ０６で求めた熱量（Ｗｔｉ（Ｓ０７））の暖熱を供給するよう制御する。
【００８５】
一方、求めた傾きγが４５°以下である場合（Ｓ２３でＹＥＳ）、ヒートポンプ制御部４１は、その傾きに応じて供給熱量Ｗｔｉを補正し、補正した熱量Ｗγ（＝Ｗｔｉ×（γ／４５°））の暖熱を供給するようヒートポンプ２１を制御する（Ｓ２５）。なお、傾きγが４５°の点は、対象物２の氷の変化が比熱上昇から氷の融解が優勢になる温度であり、最大氷結晶生成帯にある。
【００８６】
また、ヒートポンプ制御部４１は、温度制御部４２から補正した熱量Ｗγで暖熱を供給後の対象物２の温度を取得する（Ｓ２６）。
【００８７】
ヒートポンプ制御部４１は、取得した温度を目標設定温度ｔｃと比較する（Ｓ２７）。
【００８８】
取得した温度が目標設定温度ｔｃ以上でない場合（Ｓ２７でＮＯ）、ヒートポンプ制御部４１は、ステップＳ２５に戻り、ステップＳ２５〜Ｓ２７の処理を繰り返す。
【００８９】
一方、取得した温度が目標設定温度ｔｃ以上である場合（Ｓ２７でＹＥＳ）、ヒートポンプ制御部４１は、暖熱の供給を停止し、温度勾配法の制御を終了する（Ｓ２８）。
【００９０】
このように、ヒートポンプ制御部４１は、対象物２の温度の勾配に応じて解凍に使用する熱量を決定することで、解凍における対象物２の過度の温度上昇を防ぎ、品質の劣化を軽減することができる。
【００９１】
（雰囲気温度制御法）
図１５を用いて、雰囲気温度制御法について説明する。雰囲気温度制御法は、上述した供給熱量制御法又は温度勾配制御法と組み合わせて実行する方法であり、解凍の際の冷解凍庫１０の雰囲気温度に応じて熱供給を制御する方法である。
【００９２】
具体的には、雰囲気温度制御法を供給熱量制御法と組み合わせる場合、ヒートポンプ制御部４１は、雰囲気制御法と供給熱量制御法とを並列して実行し、雰囲気温度制御法で冷解凍庫１０の雰囲気の温度上昇が、０℃以上で、その温度変化が一旦緩やかになった後に再度温度上昇を検出したタイミング、または、供給熱量制御法で冷解凍庫１０内の温度が第２予備設定温度ｔｐｐあるいは目標設定温度ｔｃより大きくなったと判断されたタイミング（図１３のＳ１１）のいずれか先に発生したタイミングで、暖熱の供給を停止する。
また、雰囲気温度制御法を温度勾配制御法と組み合わせるとき、ヒートポンプ制御部４１は、雰囲気制御法と温度勾配制御法とを並列して実行し、雰囲気温度制御法で冷解凍庫１０の雰囲気の温度上昇が、０℃以上で、その温度変化が一旦緩やかになった後に、再度温度上昇を検出するタイミング、または、温度勾配制御法で対象物２の温度が第２予備設定温度ｔｐｐあるいは目標設定温度ｔｃより大きくなったと判断されるタイミング（図１６のＳ２７）のいずれか先に発生したタイミングで、暖熱の供給を停止する。
【００９３】
雰囲気温度制御法を実行するとき、ヒートポンプ制御部４１は、温度制御部４２から冷解凍庫１０内の雰囲気温度を取得する。また、ヒートポンプ制御部４１は、取得した冷解凍庫１０内の雰囲気温度の温度特性から、所定の時間間隔ｈ３（例えば、１分、３分、５分等）の計測点を結ぶ線の傾きδ（δ１，δ２，δ３，δ４・・・）を計測する。
【００９４】
その線の傾きδが、供給する暖熱と対象物２から放出される冷熱がバランスに近づき角度δが減少した後に、再び増加した時、ヒートポンプ制御部４１は、暖熱の供給を停止する。図１５に示す一例のように、δ１＞δ２＞δ３と徐々に減少した後、δ３＜δ４と傾きδが増加する。したがって、傾きδの増加を検出することで、雰囲気温度が０℃以上で一旦緩やかになった後、再び温度の上昇するタイミングを検出できる。また、ヒートポンプ制御部４１は、暖熱の供給停止後、設定した目標設定温度ｔｃに収斂するように冷熱の供給に切替えて冷蔵処理を実行する。
【００９５】
このように、ヒートポンプ制御部４１は、雰囲気温度が０℃以上で一旦緩やかになった後、再度の上昇に応じて解凍に利用する暖熱の供給を停止することで、温度上昇による対象物２の品質の劣化を軽減することができる。例えば、本制御法は、解凍に供給される暖熱熱量が大きい時、対象物２内の氷の融解熱と冷解凍庫１０内の雰囲気が有する熱量がバランスせず、冷解凍庫１０内の雰囲気温度が上昇する場合に有効である。
【００９６】
（個別温度制御法）
図１５及び図１７を用いて、個別温度制御法について説明する。個別温度制御法は、上述した供給熱量制御法や温度勾配制御法と組み合わせて実行する方法であり、複数の対象物２を同時に解凍する場合、各対象物２の解凍ムラを防止し、解凍が均一に進むように温度を制御する方法である。図１７は、個別温度制御法の処理を説明するフローチャートである。
【００９７】
具体的には、例えば温度勾配制御法と組み合わせる場合、図１６のフローチャートのステップＳ２６とＳ２７の間において、いずれかの対象物２の温度が、例えば第２予備設定温度ｔｐｐに到達したか否かを判定し、いずれかの対象物２の温度が第２予備設定温度ｔｐｐに到達していた場合、個別温度制御法を実行する。ここで、第２予備設定温度ｔｐｐは、目標設定温度ｔｃの近くであり、かつ、目標設定温度ｔｃよりも低い値である。
【００９８】
図１７のフローチャートに示すように、ヒートポンプ制御部４１は、複数の対象物２の温度を取得する（Ｓ３１）。また、ヒートポンプ制御部４１は、図１５に示すように、各対象物２の温度の所定の時間間隔ｈ３の２点を結ぶ直線と水平線の傾きγを求める（Ｓ３２）。なお、図１５においては、１つの温度センサによる計測値の温度特性のみ示すが、個別温度制御法を実行する場合、複数の温度センサによる計測値から傾きを求めるため、この温度特性も複数存在することになる。
【００９９】
ヒートポンプ制御部４１は、各対象物２について求めた複数の傾きγを第１所定値と比較し、第１所定値よりも傾きγの大きい対象物２には暖熱の供給を減少させる（Ｓ３３，Ｓ３４）。
また、ヒートポンプ制御部４１は、各対象物２について求めた複数の傾きγを第２所定値と比較し、第２所定値よりも傾きγの大きい対象物には暖熱の供給を増加させる（Ｓ３５，Ｓ３６）。
【０１００】
その後、ヒートポンプ制御部４１は、複数の対象物２の温度を取得する（Ｓ３７）。また、ヒートポンプ制御部４１は、複数の対象物２の温度差が所定範囲内であるか否かを判定する（Ｓ３８）。
【０１０１】
所定範囲内であれば（Ｓ３８でＹＥＳ）、ヒートポンプ制御部４１は、個別温度制御処理を終了する。また、所定範囲内でないとき（Ｓ３８でＮＯ）、ステップＳ３１に戻り、ステップＳ３１〜Ｓ３８の処理を繰り返す。
【０１０２】
このように、ヒートポンプ制御部４１は、複数の対象物２を同時に解凍する場合、各対象物２の温度変化が均一になるように熱供給することで、複数の対象物２での温度上昇の均一化を図り、解凍ムラを防止することができる。ここで、図９を用いて上述したディストリビュータ１３を利用して、温度の均一化を図ることができる。
【０１０３】
なお、個別温度制御は、第２予備設定温度ｔｐｐよりも低い温度、例えば第１予備設定温度ｔｐであっても、設定温度を定めて、複数の対象物２の温度の均一化を図ることが出来る。
【０１０４】
（補正係数）
対象物２を収納容器に収納する場合、その材質である段ボールや樹脂は、圧力への緩衝材であるとともに、熱への緩衝材である。そのため、雰囲気の熱変化に対し、収納容器内の対象物２への伝熱に時間遅れが生じる。したがって、伝熱の時間遅れを考慮する補正係数を設定し、その補正係数を用いて温度制御することが好ましい。
【０１０５】
なお、時間遅れは、収納容器の材質の他、大きさや形状によって異なるとともに、対象物２の種類、大きさ及び形状等によっても大きく変わる。したがって、複数の対象物２について、様々な収納容器に対応した冷解凍のデータを集積し、それらから条件ごとに求めた補正係数を設定する。
【０１０６】
また、温度制御に、収納容器ごとに時間遅れの記録を蓄積・集積し、次の冷解凍時に生かすことが出来る集積データ適用制御を導入することが望ましい。
【０１０７】
（解凍のみの制御）
なお、冷解凍装置１Ａは、冷凍から解凍後の冷蔵保存までを冷凍から解凍までを一連の流れとして一つの冷解凍装置で制御可能とするものであるが、仮に、冷凍時の熱量データや温度データを有していない場合であっても、対応することができる。この場合、対象物２が保有する冷熱量を計算し、その熱量を基本データとして解凍を進める。この制御について、図１８を用いて説明する。図１８は、解凍のみの制御を実施する場合の対象物２の温度特性とヒートポンプ２１による暖熱の供給量を表す図である。
【０１０８】
具体的には、ヒートポンプ制御部４１は、対象物２が保有する冷熱量Ｗを、対象物２が保有する氷の量と温度とから算出する。
【０１０９】
対象物２の温度が０℃であるとき、対象物２が保有する冷熱エネルギーＷ0は、計算上、概算、下記式（１）で表される。
Ｗ0＝（Ｍ・Ｘ／１００）・［Ｃ・（｜Ｔ｜−｜ｔ｜）＋（〈Ｙ／１００〉・Ｃ・｜ｔ｜）＋（〈Ｚ／１００〉・Ｉ）］  …（１）
Ｍ：対象物重量（ｋｇ）
Ｘ：対象物水分含量（％）
ｔ：対象物氷結温度（℃）
Ｔ：対象物が凍結された温度（℃）
Ｃ：氷の比熱（ｋＪ／ｋｇ）
Ｉ：氷の融解熱（ｋＪ／ｋｇ）
Ｙ：対象物の氷のうち０℃になった氷の割合（％）
Ｚ：対象物の氷のうち０℃までに融解した氷の割合（％）（Ｙ＋Ｚ=１００）
【０１１０】
なお、Ｍ，Ｘ，Ｃ，Ｙ，Ｚ，Ｉの値は、対象物の種類毎に求める。これら値は、制御の過程で得られた蓄積データを用いて求めることが可能であり、蓄積データの更新に応じ、適宜、より精度の高い値に更新することができる。
【０１１１】
したがって、対象物２の氷結温度をｔｃとし、ｔｃで対象物２の氷のうち融解した量の割合Ｚｃ％とすれば、ｔｃまでに解凍に要する熱量Ｗは、式（２）に示すように求められる。
Ｗ＝（Ｍ・Ｘ／１００）・［Ｃ・（｜Ｔ｜−｜ｔｃ｜）＋（〈Ｚｃ／１００〉・Ｉ）］  …（２）
【０１１２】
ヒートポンプ制御部４１は、この熱量Ｗを解凍時間Ｌで除して、その時間当たりの熱量（Ｗ／Ｌ）を冷解凍庫１０に供給するようヒートポンプ２１を制御する。また、その後、ヒートポンプ制御部４１は、対象物２の温度を取得し、所定の時間間隔ｈ４の２点間を結ぶ線と水平線との角度εを測定する。その角度εが４５度になる点Ｐ１が、対象物２の中に含まれる氷の相が、比熱の温度変化が優位な状態から融解が主となる点であり、この点Ｐ１に達するまでＷ／Ｌの熱量を供給する。
【０１１３】
その後、ヒートポンプ制御部４１は、上述した温度勾配制御法を適用して暖熱を供給する。すなわち、Ｐ１の時点の供給熱量（Ｗ／Ｌ）に対し、測定した温度の２点間を結ぶ線と水平線との角度εを利用して補正した熱量Ｗε（＝（Ｗ／Ｌ）・（ε/４５））で、供給する暖熱の熱量を減少させる。
【０１１４】
そして、対象物２の温度が第２予備設定温度ｔｐｐに到達した時点Ｐ２で熱量の供給を停止して解凍制御を終了し、冷蔵保存制御を開始する。
【０１１５】
（冷解凍制御の原理）
このように、冷解凍を一つの冷解凍装置１Ａで行う場合、水分が凝固し氷に凍結、そして氷から解凍のプロセスを経て融解すると言う可逆性、すなわち冷凍と解凍の可逆性を利用し、対象物２の氷と水の熱伝導率の相違による対象物２内の冷凍と解凍の位置的反転性と、それらの特性を相乗した対象物２の冷解凍の温度時間特性を利用して、冷解凍を進めることができる。なお、０℃水の熱伝導率は０．５６９Ｗ／ｍＫ、０℃の氷の熱伝導率は２．２Ｗ／ｍＫである。
【０１１６】
冷凍時、対象物２の表面は冷凍冷熱で冷却され、対象物２の表面と芯部の間に温度差が生じる。急速冷凍では対象物２の内部の水分の熱伝導率は低いため、急速冷凍の時は大きな温度差を設け、強制的に芯部に冷熱を届け冷凍が進む。
【０１１７】
また、解凍時、暖熱を与え対象物２の表面と芯部との間に温度差を設け、氷の熱伝導率の高さを利用し、冷凍時間が短い時は、表面の氷よりも柔らかな芯部の氷の温度を上げ、融解を速める。芯部の氷が融解すると水分の熱伝導率は下がるため、芯部に届く熱量は減少し芯部の過度の温度上昇を防ぎ、同時に対象物の芯部の周りの氷の部分の温度の上昇と融解に熱が多く使われる。水の凝固熱と氷の融解熱は同じであり、氷の比熱は冷凍と解凍で温度が同じであれば比熱の値は同じである。そして、冷凍と解凍の可逆性を利用し、冷凍時に使用した熱量を解凍時に暖熱量として加え解凍を促進する。一方、水と氷の間には熱伝導率に大きな相違がある。対象物の冷凍が進むとともに対象物の芯部への熱伝導は容易になり冷凍に必要な冷熱量は減少する。解凍時、適度な暖熱を与える時、対象物の表面のみならず芯部でも温度が上昇し融解に向かう。そして対象物２で温度上昇に向かう体積が増えると同時に、対象物２の温度上昇と融解に必要な熱量が増える。その特性が、対象物２の温度特性に表れるので、解凍のために供給する暖熱熱量を、対象物の温度特性を利用して供給し解凍を進展させる。
【０１１８】
なお、冷凍を行う時間が長いと対象物２の中心部も対象物２の表面と同じ程度に硬い氷に凍結する。この時、多量の高温の暖熱を供給しても、対象物２の表面だけが融解して水分が増え、芯部への熱伝導が悪くなり、表面だけが解凍され芯部が残った氷で硬いまま残る。そのため急速解凍時、暖熱の供給は、適切な制御に従って行う必要がある。
【０１１９】
冷凍も解凍も雰囲気温度と解凍対象物の熱量の相関で進む。冷解凍庫１０の熱容量（大きさ）を一定として、冷凍と解凍とで同じ装置を使用することで、冷凍時に使用した熱量で、対象物２の表面だけを過度に融解することなく、基本的には可逆性を利用して解凍を可能にする。一方、冷凍と解凍とで別の装置を利用した場合、装置の有する熱容量が変わり可逆性は成立しなくなる。
【０１２０】
また、後述する電極設置の場合は、電極から供給される電気エネルギーが、冷解凍装置で解凍のために雰囲気から供給される暖熱エネルギーに比較して極めて小さく、上述の可逆性の適用に、大きな影響を与えない。
【０１２１】
〈冷解凍装置１Ａの効果〉
このように、第１実施形態に係る冷解凍装置１Ａでは、冷解凍庫１０の温度を適切に制御することができる。具体的には、冷凍で供給した熱量の値に応じて、解凍の熱供給を制御することで、急速解凍を実現することができる。また、対象物２の温度変化に応じて、解凍の熱供給を制御することで、対象物２の品質劣化を軽減することができる。さらに、複数の対象物２を解凍する場合、各対象物２の温度に応じて、解凍の熱供給を制御することで、各対象物２の解凍時間のばらつきを防止して対象物２の品質劣化を軽減するとともに、急速解凍を実現することができる。
【０１２２】
［第２実施形態］
図１９は、本発明の第２実施形態に係る冷解凍装置１Ｂの概略構成例を示している。冷解凍装置１Ｂは、図１を用いて上述した冷解凍装置１Ａと比較して、冷凍・解凍・保存用のヒートポンプ２１に代えて、熱交換室２０において、熱交換器として冷凍・冷凍保存用の機能部２１ａ及び解凍・冷蔵保存用のヒートポンプ２１ｂを備え、冷解凍制御装置４０において、冷凍・冷凍保存機能制御部４１ａを及びヒートポンプ制御部４１ｂを備える。第１実施形態に係る冷解凍装置１Ａのヒートポンプ２１は、冷熱と暖熱を供給することができるが、供給することのできる冷熱は−３０℃以上の冷熱であった。これに対し、第２実施形態に係る冷解凍装置１Ｂでは、機能部２１ａによって−３０℃以下の冷熱を供給することができる。
【０１２３】
したがって、冷解凍装置１Ｂは、冷凍及び冷凍保存の際には、冷凍・冷凍保存機能制御部４１ａによって制御され、冷凍・冷凍保存用の機能部２１ａがファンコイル１１ａを介して冷解凍庫１０に冷熱を供給する。また、冷解凍装置１Ｂは、解凍及び冷蔵保存の際には、ヒートポンプ制御部４１ｂによって制御され、解凍・冷蔵保存用のヒートポンプ２１ｂがファンコイル１１ｂを介して冷解凍庫１０に暖熱及び冷熱を供給する。また、ファンコイル１１ａ，１１ｂは、図４（Ｃ）に示すように、隔壁３０の３１ａ，３１ｂの位置に配置される。
【０１２４】
図２０に、冷解凍の際の対象物２の温度特性を示す。また、図２１に、冷凍（急速冷凍）の際の最大氷結晶生成帯における温度特性（図２０のＡ−２の部分）を示す。
【０１２５】
冷凍・冷凍保存機能制御部４１ａは、冷熱を供給するよう機能部２１ａを制御する。例えば、冷凍・冷凍保存機能制御部４１ａは、冷凍開始当初、所定量の冷熱を供給するよう機能部２１ａを制御し、その後、温度制御部４２から取得する対象物２や冷解凍庫１０内の温度に応じ、冷熱の供給量を調整することができる。
【０１２６】
機能部２１ａが−３０℃以下の冷熱を供給することで、対象物２の冷凍が開始されると、図２１に示すように、対象物２が氷結温度ｔｃに達した後、対象物２の温度が下がるスピードは、対象物２内部の水分が凝固するために凝固熱の発生により、緩やかになる。そして最大氷結晶生成帯（ｔｃ〜ｔｓの間）のほぼ中間（温度ｔｎ）で、温度時間特性は、その方向を変え、温度は急速に下降に向かう。
【０１２７】
図１１に示すように、対象物２の温度特性において、緩慢冷凍と同様に、所定の時間間隔ｈ５の２点を結んだ線と水平線の角度θ（θ１〜θ６）を求める。角度θは、θ１＞θ２＞θ３と徐々に小さくなる。また、θ４＜θ５＜θ６と徐々に大きくなる。このように、対象物２の温度変化から、対象物２の状態の変化を把握することが可能であり、この変化と合わせて冷凍・冷凍保存機能制御部４１ａは、機能部２１ａを制御することができる。
【０１２８】
例えば、冷凍・冷凍保存機能制御部４１aが、温度制御部４２から対象物２の温度と冷解凍庫１０の雰囲気温度とを取得し、その差が大きくなるように、具体的には、冷熱の供給量を大きくする冷凍・冷凍保存用機能部２１aを冷凍・冷凍保存機能制御部４１aにより制御することで、最大氷結晶生成帯を早く通過させることができる。これにより、対象物２の冷凍による品質の低下を防止することができる。
【０１２９】
冷解凍装置１Ｂでは、冷凍時、冷解凍庫１０内に−３０℃以下の冷熱を供給することができるため、図２０及び図２１に示すように、急速冷凍が可能である。したがって、図１０を用いて上述した緩慢冷凍の場合と比較して、冷凍時間を短縮することができ、最大氷結晶生成帯の通過時間も短縮することができる。すなわち、緩慢冷凍の場合よりも、冷凍による対象物の品質の劣化を軽減できる。
【０１３０】
冷解凍装置１Ｂにおける制御は、冷凍時及び冷凍保存時には冷凍・冷凍保存機能制御部４１ａが冷熱供給の処理を制御し、解凍及び冷蔵保存時にはヒートポンプ制御部４１bが暖熱供給又は冷蔵用冷熱供給の処理を制御し、冷凍時に供給する冷熱の温度が異なる他は、冷解凍装置１Ａにおける制御と同一である。すなわち、冷解凍装置１Ｂにおいても、冷解凍装置１Ａと同様、冷凍時に温度データ及び熱量データを記憶し、この温度データ及び熱量データを利用して、上述した供給熱量制御法で解凍の制御を実行する。また、冷解凍装置１Ｂにおいても、温度勾配制御法、雰囲気温度制御法、個別温度制御法等を組み合わせて解凍の制御を実行することができる。
【０１３１】
このように、第２実施形態に係る冷解凍装置１Ｂでは、冷解凍庫１０の温度を適切に制御することができる。具体的には、冷凍で供給した熱量の値に応じて、解凍の熱供給を制御することで、急速解凍を実現することができる。また、対象物２の温度変化に応じて、解凍の熱供給を制御することで、対象物２の品質劣化を軽減することができる。さらに、複数の対象物２を解凍する場合、各対象物２の温度に応じて、解凍の熱供給を制御することで、各対象物２の解凍時間のばらつきを防止して対象物２の品質劣化を軽減するとともに、急速解凍を実現することができる。
【０１３２】
［変形例］
（電極の追加）
図２２は、本発明の変形例に係る冷解凍装置１Ｃの概略構成例を示している。冷解凍装置１Ｃは、図１９を用いて上述した冷解凍装置１Ｂと比較して、冷解凍庫１０内に接地電極１４ａ及び放電電極１４ｂを備え、また、この電極１４（１４ａ，１４ｂ）を制御する電極制御部４５を備える点で異なる。
【０１３３】
接地電極１４ａ及び放電電極１４ｂは図２３に示す一例のように、対象物２を配置する棚６１の棚板６４を接地電極１４ａ及び放電電極１４ｂとしてもよい。なお、電極１４ａ，１４ｂの形状は限定されない。
【０１３４】
電極制御部４５は、例えば、冷凍の開始から最大氷結晶生成帯を通過するまでの間、及び、解凍の開始から冷蔵までの間、電極１４ａに電圧を印加し、放電させることができる。放電により、例えば、以下の効果が得られる。
【０１３５】
（１）対象物２の表面からの伝熱により冷凍を進める時、対象物２の内部は通電により、その内部の温度をほぼ一様に周囲よりも高めに維持し、対象物の表面と芯部の間に温度差を発生させることで、過冷却状況が冷解凍庫１０内に設置された多数の対象物２の中で、部分的にも発生することを抑え、一様な冷凍により一様な品質の維持を可能にする。
【０１３６】
（２）冷凍時、冷解凍庫１０内で、機能部２１ａによる熱供給で冷凍温度を下げ、放電により対象物２の表面と芯部の温度差を確保する。そして冷解凍庫１０内の雰囲気温度と対象物２の芯の温度差を確保した状態で、電極１４への電圧の印加を停止し、急速冷凍効果を発生させることができる。
【０１３７】
（３）対象物２と放電電極１４ｂの間に空間に存在する空気は絶縁物であり、電極１４に電圧をかけると大きな電流は流れず微少電流が流れる。そのため、対象物２内の通電で発生するジュール熱量は、機能部２１ａから供給される熱量に比較し極めて小さい。そのため対象物２と周囲との間に放電が発生しない程度に、冷解凍庫の雰囲気中にミストを供給し、電極間を流れる電流を大きくして対象物２の芯部の温度上昇、そして融解をより一層早めることを可能にする。なお、対象物２の状況に応じて、芯部が凍らないように電極間に電圧の印加を可能にする。
【０１３８】
なお、図２２に示す冷解凍装置１Ｃは、機能部２１ａ及びヒートポンプ２１ｂを有する冷解凍装置１Ｂに電極１４及び電極制御部４５を備えるが、図１に示すヒートポンプ２１のみを有する冷解凍装置１Ａに電極１４及び電極制御部４５を備える構成であってもよい。また、冷解凍の際のその他の制御については、第１実施形態で説明した制御と同一である。
【０１３９】
（過冷却）
冷凍時に、対象物２を過冷却状態とすることで、細胞内の氷結晶を小さく、微細化させることができる。その結果、細胞膜が破れず、ドリップの発生も無く、対象物２の品質の維持を可能にする。過冷却冷凍制御では、個別温度制御を利用して、冷解凍庫１０内温度を均一に緩慢に温度の降下を行い、過冷却を発生させ、また、過冷却が発生し過冷却が破れた後は急速な温度降下によって過冷却を解消させる。したがって、精密な温度計測によって過冷却の発生を検出し、過冷却が解消したタイミングを決定する必要がある。例えば、冷解凍庫１０内の温度を均一に調整するため、図９に示すディストリビュータを利用することができる。
【０１４０】
図２４に、過冷却の温度特性を示す。図２４（Ａ）において、点Ｋ１が、過冷却が解除された点であり、過冷却の解除後、水分の凝固により温度が急上昇するが、点Ｋ２の後、再び冷凍が進む過程で下落する。
【０１４１】
図２４（Ｂ）は、図２４（Ａ）の過冷却解消時の温度特性の拡大図である。過冷却冷凍制御では、図２４（Ｂ）に示すような時間間隔ｈ８（例えば、数秒）で計測された温度を結ぶ線と水平線との傾きを利用して温度勾配制御法を利用するとともに、過冷却が解除された時には一瞬で温度が上昇するので、温度勾配制御法に加え、温度変化の速度を見る温度変化スピード計測法の一方あるいは両方を併用することが可能である。
【０１４２】
温度勾配制御法では、図２５（Ｂ）に示すように、ｈ８の時間間隔で計測し、計測した２点と水平線の角度ｑ（ｑ１〜ｑ６）を求めるとする。このとき、ｑ２は、０°となった一例である。また、次に、急速に温度が上昇する場合のｑ３は、ｑ１とは逆の角度に反転する。すなわち、ｑ１は、水平線に対して＋方向で角度が形成されたのに対し、ｑ３は、水平線に対して−方向で角度が形成された。冷凍に向かうと角度は、求められる角度ｑ４は減少するが、まだ−方向である。その後、再び角度は＋方向に反転したｑ５、ｑ６が得られ（ｑ５＜ｑ６）、急速冷凍とともに角度は増加する。すなわち、角度の＋方向と−方向の反転が２回発生するため、これを感知し、過冷却の発生を知ることが出来る。
【０１４３】
温度変化スピード計測法では、温度が−方向に向かい、次に＋方向、再び−方向に向かうが。その方向の変化と、温度変化のスピードを計測して、過冷却を感知し、温度変化の大きさを検出することができる。すなわち、過冷却が解除される点Ｋ１では、温度は−方向から＋方向に大きく変化するが、時間当たりの温度変化は増加する。再び冷却に向か点Ｋ２において、温度は減少する。その時の温度変化の値は、過冷却が解除された時点に比較すると小さくなる。
【０１４４】
過冷却冷凍制御において、過冷却の発生及び解除を検出するため、温度勾配制御法と温度変化スピード計測法の一方あるいは併用して使用する。また、過冷却の解除後、第１実施形態で上述したように、解凍制御を実行する。
【０１４５】
（その他変形例）
冷解凍装置に、熱交換器で暖気を供給する時、供給する暖気の他にミストを同時にまたは間欠的に冷解凍装置に供給する。暖気が有する熱量とミストが液化する時の凝縮潜熱を併せて利用し、より高速な急速解凍を可能とする。さらに、ミストを加えることにより、対象物２の表面温度が解凍温度（氷結温度）以上になる時、対象物２の表面に付着し、凝縮し、一度凍結したミストが液化し、その液化したミストがさらに蒸発し、その融解熱そして蒸発熱で対象物２の過度の温度上昇を抑える効果を有する。
【０１４６】
また、冷解凍装置は、一般的な冷蔵庫及び冷凍庫に組み込むことができる。
【０１４７】
さらに、一般的な電子レンジに組み込み、熱交換器で暖気を供給することで対象物２の表面から熱伝導で順次内部に向けて氷を融解し、その後、電子レンジで調理を可能としてもよい。この時、対象物２の氷がすべて融解していなくとも、暖気や電子レンジのエネルギーによる対象物２内の熱伝導で、対象物２に残された氷の融解を可能とする。暖気に加えミストを加え、対象物２の表面からの急速解凍を進め、電子レンジで解凍を可能とする一体型の冷解凍装置。
【０１４８】
以上、実施形態を用いて本発明を説明したが、本発明は本明細書中に説明した実施形態に限定されるものではない。本発明の範囲は、特許請求の範囲の記載及び特許請求の範囲の記載と均等の範囲により決定されるものである。
【符号の説明】
【０１４９】
１Ａ，１Ｂ，１Ｃ…冷解凍装置
２…対象物
１０…冷解凍庫
１１，１１ａ，１１ｂ…ファンコイル
１２…温度センサ
２０…熱交換室
２１，２１ｂ…ヒートポンプ（熱交換器）
２１ａ…冷凍・冷凍保存用機能部（熱交換器）
２２…段ボール箱
２３…貼り合わせ部
３０…隔壁
４０…冷解凍制御装置
４１，４１ｂ…ヒートポンプ制御部（熱交換器制御部）
４１ａ…冷凍・冷凍保存機能制御部（熱交換器制御部）
４２…温度制御部
４３…熱量データ記憶部
４４…温度データ記憶部
６０…架台
６１…棚
６２…柱
６３…梁
６４…棚板
６５…孔
６６…赤外線サーモグラフィ（温度センサ）
６７…温度計（温度センサ）
【図１】
0006654921.tif 000002
【図２】
0006654921.tif 000003
【図３】
0006654921.tif 000004
【図４】
0006654921.tif 000005
【図５】
0006654921.tif 000006
【図６】
0006654921.tif 000007
【図７】
0006654921.tif 000008
【図８】
0006654921.tif 000009
【図９】
0006654921.tif 000010
【図１０】
0006654921.tif 000011
【図１１】
0006654921.tif 000012
【図１２】
0006654921.tif 000013
【図１３】
0006654921.tif 000014
【図１４】
0006654921.tif 000015
【図１５】
0006654921.tif 000016
【図１６】
0006654921.tif 000017
【図１７】
0006654921.tif 000018
【図１８】
0006654921.tif 000019
【図１９】
0006654921.tif 000020
【図２０】
0006654921.tif 000021
【図２１】
0006654921.tif 000022
【図２２】
0006654921.tif 000023
【図２３】
0006654921.tif 000024
【図２４】
0006654921.tif 000025